(57)【要約】【課題】パレットの多様化を提案するもので、軽量で取り扱い性に優れ、必要な強度を備え、経済的なパレットの構造を提供する。さらには、再生や再利用が容易に可能なパレットを提供する。【解決手段】上台板１１と、下台板１２と、前記上台板の下面側に配置される上側座部２１と下方に開口する矩形の上側差込部２２とを有するプラスチック製の上座板部材２０と、前記下台板の上面側に配置される下側座部３１と上方に開口する矩形の下側差込部３２とを有するプラスチック製の下座板部材３０と、前記上座板部材の上側差込部及び下座板部材の下側差込部にリブ方向を上下方向として差し込まれる端部を有するプラスチック段ボールよりなる筒状の脚柱部材４０と、前記上台板から前記上座板部材ならびに前記脚柱部材ならびに下座板部材及び下台板を貫通して一体に緊締する緊締部材５０とからなる。【選択図】        図１
2004315001.tif 000002
【特許請求の範囲】
【請求項１】
上台板と、
下台板と、
前記上台板の下面側に配置される上側座部と下方に開口する矩形の上側差込部とを有するプラスチック製の上座板部材と、
前記下台板の上面側に配置される下側座部と上方に開口する矩形の下側差込部とを有するプラスチック製の下座板部材と、
前記上座板部材の上側差込部及び下座板部材の下側差込部にリブ方向を上下方向として差し込まれる端部を有するプラスチック段ボールよりなる筒状の脚柱部材と、
前記上台板から前記上座板部材ならびに前記脚柱部材ならびに下座板部材及び下台板を貫通して一体に緊締する緊締部材
とからなることを特徴とするパレット。
【請求項２】
前記上座板部材及び下座板部材が同一構成の座板部材よりなる請求項１に記載のパレット。
【請求項３】
前記脚柱部材がプラスチック段ボールの多重構成よりなる請求項１又は２に記載のパレット。
【請求項４】
前記上台板及び下台板がプラスチック段ボールよりなる請求項１ないし３のいずれか１項に記載のパレット。
【請求項５】
少なくとも前記上座板部材ならびに下座板部材及び脚柱部材が同一種類のプラスチック材料よりなる請求項１ないし４のいずれか１項に記載のパレット。
【請求項６】
前記上台板ならびに下台板ならびに上座板部材ならびに下座板部材ならびに脚柱部材及び緊締部材が同一種類のプラスチック材料よりなる請求項５に記載のパレット。
【発明の詳細な説明】
【０００１】
【発明の属する技術分野】
この発明は、フォークリフト等によって物品を搬送する際に使用されるパレットに関する。
【０００２】
【従来の技術】
各種物品を搬送する際に各種のパレットが用いられており、近年では、木製のものに代わってプラスチック成形品も各種提案されている（例えば、特許文献１参照）。プラスチック成形品よりなるパレットは構造的にも設計が自由で、それによって強度や耐久性を高めることも可能であるが、成形に伴う金型等のコスト上の問題がある。
【０００３】
ところで、この種パレットは幅広い用途に利用できる汎用のものが一般的であるが、物品搬送後は空パレットとして返送され繰り返し使用されるもので、多くの場合特定の物品用として用いられる。従って、物品によってはそれほど大きな強度を必要とせず、むしろ軽量性や取り扱い性に優れたものが要求される。このような場合に、重量のある高強度のパレットを使用することは合理的ではないばかりか経済的でもない。
【０００４】
さらに、近年の資源の有効利用や廃棄物処理などの社会的要請から、この種パレットにおいても再生や再利用が可能なことが要求されている。
【０００５】
【特許文献１】
特開平９−２１６６２８号公報
【０００６】
【発明が解決しようとする課題】
この発明はこのような点に鑑みなされたもので、パレットの多様化を提案するもので、軽量で取り扱い性に優れ、必要な強度を備え、経済的なパレットの構造を提供するものである。さらには、再生や再利用が容易に可能なパレットを提供するものである。
【０００７】
【課題を解決するための手段】
すなわち、請求項１の発明は、上台板と、下台板と、前記上台板の下面側に配置される上側座部と下方に開口する矩形の上側差込部とを有するプラスチック製の上座板部材と、前記下台板の上面側に配置される下側座部と上方に開口する矩形の下側差込部とを有するプラスチック製の下座板部材と、前記上座板部材の上側差込部及び下座板部材の下側差込部にリブ方向を上下方向として差し込まれる端部を有するプラスチック段ボールよりなる筒状の脚柱部材と、前記上台板から前記上座板部材ならびに前記脚柱部材ならびに下座板部材及び下台板を貫通して一体に緊締する緊締部材とからなることを特徴とするパレットに係る。
【０００８】
請求項２発明は、前記上座板部材及び下座板部材が同一構成の座板部材よりなる請求項１に記載のパレットに係る。
【０００９】
請求項３の発明は、前記脚柱部材がプラスチック段ボールの多重構成よりなる請求項１又は２に記載のパレットに係る。
【００１０】
請求項４の発明は、前記上台板及び下台板がプラスチック段ボールよりなる請求項１ないし３のいずれか１項に記載のパレットに係る。
【００１１】
また、請求項５の発明は、少なくとも前記上座板部材ならびに下座板部材及び脚柱部材が同一種類のプラスチック材料よりなる請求項１ないし４のいずれか１項に記載のパレットに係る。
【００１２】
さらに、請求項６の発明は、前記上台板ならびに下台板ならびに上座板部材ならびに下座板部材ならびに脚柱部材及び緊締部材が同一種類のプラスチック材料よりなる請求項５に記載のパレットに係る。
【００１３】
【発明の実施の形態】
以下添付の図面にしたがってこの発明を詳細に説明する。
図１はこの発明の一実施例に係るパレットを示す斜視図、図２は図１の２−２断面図、図３はパレットの要部を分解して示す斜視図である。
【００１４】
図示したように、この発明のパレット１０は、フォークリフトなどによって持ち上げて運搬し物品の搬送に用いられるもので、上台板１１、下台板１２、上座板部材２０、下座板部材３０、脚柱部材４０、緊締部材５０の各部材からなる。
【００１５】
上台板１１及び下台板１２は、それぞれパレット１０の上面と下面を構成するもので、例えば合板やプラスチック板などを用いることもでき、該パレット１０の脚部Ｌとなる上座板部材２０、下座板部材３０及び脚柱部材４０を介して固定される。そのため該上台板１１及び下台板１２には緊締部材５０を挿通する貫通部１１ａ，１２ａを有する。なお、以下の実施例においては、脚部Ｌに各３本ずつの緊締部材５０を用いて固定したものを示すが、何ら限定するものではない。また、パレット１０における脚部Ｌの数は使用用途に応じて耐荷重を考慮して決定されればよい。
【００１６】
上座板部材２０は、プラスチック製のもので、前記上台板１１の下面側に配置される上側座部２１と、下方に開口する矩形の上側差込部２２とを有する。また、下座板部材３０も同様に、前記下台板１２の上面側に配置される下側座部３１と上方に開口する矩形の下側差込部３２とを有するものである。なお、符号２３及び３３は前記緊締部材５０が貫通する貫通孔であるが、特にその形状もしくは数等は限定するものでなく、上側座部２１や下側座部３１の内側は切り抜いた状態としてもよい。
【００１７】
前記上座板部材２０と下座板部材３０とは、請求項２の発明として規定し実施例にも示すように、同一構成の座板部材とすることができる。このようにすれば経済的であるばかりでなく、在庫管理及び組み付け作業が容易となる。
【００１８】
脚柱部材４０は、この例ではプラスチック段ボールを筒状としたもので、前記上座板部材２０の上側差込部２２及び下座板部材３０の下側差込部３２にリブ方向を上下方向として差し込まれる端部４１，４１を有する。この脚柱部材４０は、請求項３の発明として規定したように、必要により、プラスチック段ボールの多重構成よりなるものとすることができる。実施例の脚柱部材４０はプラスチック段ボールを２重に重ねて使用したものであり、材質や該パレット１０の使用用途に応じて複数枚とすることができる。
【００１９】
緊締部材５０は、前記上台板１１から前記上座板部材２０ならびに前記脚柱部材４０ならびに下座板部材３０及び下台板１２を貫通して上下より一体に緊締するものである。この例ではボルト部材５１とナット部材５２からなるが、特に限定されるものではない。
【００２０】
このようにして構成されるパレット１０は、脚柱部材４０の両端部４１，４１を上座板部材２０の上側差込部２２及び、下座板部材３０の下側差込部３２にそれぞれ差し込み、上台板１１及び下台板１２を配置して、それぞれの貫通孔１１ａ，１２ａ、２３，３３位置をあわせて緊締部材５０で緊締することで簡単かつ容易に組み付けることができる。従って、各部品に破損や汚れ等があった場合には、その部品のみを簡単に交換することができる。
【００２１】
また、この発明のパレット１０は、請求項４の発明として規定したように、前記上台板１１及び下台板１２をプラスチック段ボールよりなるものとすると、さらなる軽量化につながり好適に用いることができる。
【００２２】
さらに、この発明のパレット１０は、請求項５の発明として規定したように、少なくとも前記上座板部材２０ならびに下座板部材３０及び脚柱部材４０が同一種類のプラスチック材料よりなるものとするのが好ましい。実施例では、前記上座板部材２０ならびに下座板部材３０がリサイクル性の高いポリプロピレン（ＰＰ）の型成形品であり、脚柱部材４０は同じくポリプロピレンを材料としたプラスチック段ボールからなるものとした。このように、できるだけ多くの部品が同一種類の材料で形成されていることはリサイクルの観点からみてが好ましい。
【００２３】
さらにまた、請求項６の発明として規定したように、前記上台板１１ならびに下台板１２ならびに上座板部材２０ならびに下座板部材３０ならびに脚柱部材４０及び緊締部材５０が同一種類のプラスチック材料よりなるものとすれば、当該パレット１０全体が同一種類の材料からなるものとして、そのままリサイクル処理することができ、異種類の構成部品を取り除く手間が省けてより好ましい。
【００２４】
【発明の効果】
以上図示し説明したように、この発明のパレットによれば、上座板部材の上側差込部及び下座板部材の下側差込部に、プラスチック段ボールからなる筒状の脚柱部材をリブ方向が上下方向となるように端部を差し込んで、上台板と下台板を緊締部材で緊締したものであるから、パレットの多様化を図ることができる。すなわち、載置される物品に応じたパレットを提供することができるのである。
【００２５】
また、この発明のパレットは、上の構成より、軽量で取り扱い性に優れるばかりでなく、必要な強度を備え、経済的である。さらに、この発明にパレットは、組み付けが簡単かつ容易であるので、必要に応じて分解又は組み付けができ、構成部材が破損したり汚れたり下場合にも容易に交換することができる。
【００２６】
さらにまた、請求項５又は６に係る発明のように、パレットの構成部材を同一種類のプラスチック材料からなるものとすれば、リサイクルする際に異種類の材料に分別する必要がなく作業性がよく、再利用が容易となる。
【図面の簡単な説明】
【図１】この発明の一実施例に係るパレットを示す斜視図である。
【図２】図１の２−２断面図である。
【図３】パレットの要部を分解して示す斜視図である。
【符号の説明】
１０  パレット
１１  上台板
１２  下台板
２０  上座板部材
２１  上側座部
２２  上側差込部
３０  下座板部材
３１  下側座部
３２  下側差込部
４０  脚柱部材
５０  緊締部材
【図１】
2004315001.tif 000003
【図２】
2004315001.tif 000004
【図３】
2004315001.tif 000005